(57)【要約】      （修正有）【課題】ハンガーローラーの中心から背板部までのピッチを小さくして小型化を図ることが可能な吊り金具装置を提供する。【解決手段】吊り金具装置２５は、自動ドアの上部に固定される吊り金具本体３１と、ローラー部３２と、このローラー部３２をハンガーレールに載せた状態で吊り金具本体３１を仮配置するための建付調整手段３３と脱輪防止手段３４から構成される。吊り金具本体３１は底板部３６と背板部３７とを有し、ローラー部３２は一対のハンガーローラー４１と帯板部４２とを備える。建付調整手段３３は第一調整穴４３及び第二調整穴４４と、背板側建付舌片部４５と、建付ボルト４６と、ボルト貫通穴４７と、調整金具本体４８と、第一調整ボルト４９及び第一調整ナット５０と、第二調整ボルト５１及び第二調整ナット５２と、調整金具側建付舌片部５３とを備える。調整金具本体４８は帯板部４２を跨ぐ状態で背板部３７に組み付け可能な形状に形成される。【選択図】図３
2018096203.tif 000002
【特許請求の範囲】
【請求項１】
自動ドアの上部に固定される吊り金具本体と、
自動ドア組付枠のハンガーレールに組み付けられるローラー部と、
前記ローラー部を前記ハンガーレールのレール本体に載せた状態で前記吊り金具本体を上下方向の所定位置に仮配置するための建付調整手段と、
前記ローラー部の脱輪を防止するための脱輪防止手段とを含んで構成され、
前記吊り金具本体は、
前記上部に対する固定部分としての底板部と、該底板部から上方に立ち上がる背板部とを有すると共に、前記帯板部を跨ぐ断面コ字状に形成され且つ前記一対のハンガーローラーの間に位置するブリッジ部を有し、
前記ローラー部は、
前記レール本体に対し転動自在になる一対のハンガーローラーと、
該一対のハンガーローラーを前記レール本体の延在方向に沿って所定の間隔で組み付けるための帯板部とを有し、
前記建付調整手段は、
前記背板部の所定位置を前記上下方向に沿って長く貫通形成される第一調整穴及び第二調整穴と、
前記背板部の一方の面側に形成される背板側建付舌片部と、
該背板側建付舌片部のネジ穴に対し前記上下方向に沿って組み付けられる建付ボルトと、
前記一対のハンガーローラーの各回転軸中間位置で前記帯板部を円形に貫通して形成されるボルト貫通穴と、
前記帯板部の一方の面を前記背板部の他方の面に対向させた状態で前記一対のハンガーローラーが存在する側である前記帯板部の他方の面側から該帯板部を跨ぐ状態で前記背板部の他方の面に対し組み付けられる調整金具本体と、
前記第一調整穴を貫通するように前記調整金具本体の一方の面から突出する第一調整ボルトと、
前記背板部の一方の面から突出した後の前記第一調整ボルトに対し組み付けられる第一調整ナットと、
前記ボルト貫通穴及び前記第二調整穴を貫通するように前記調整金具本体の一方の面から突出する第二調整ボルトと、
前記背板部の一方の面から突出した後の前記第二調整ボルトに対し組み付けられる第二調整ナットと、
前記調整金具本体の一方の面側に形成されて前記背板側建付舌片部に対向し且つ前記建付ボルトのボルト頭部が係合する調整金具側建付舌片部とを有し、
前記調整金具本体は、
前記帯板部を跨ぐ断面コ字状に形成され且つ前記一対のハンガーローラーの間に位置するブリッジ部を有し、該ブリッジ部の凹面から突出するように前記第二調整ボルトを配設するとともに、前記ブリッジ部の上端に前記調整金具側建付舌片部を連成し、さらに、前記背板部の他方の面に対向する固定板部を前記ブリッジ部の下端に連成するとともに、前記固定板部の一方の面から突出するように前記第一調整ボルトを配設し、
前記脱輪防止手段は、
脱輪防止部と、第三調整ナットとを備えてなり、前記脱輪防止部は、ブロック状の部分である脱輪防止部本体と、該脱輪防止部本体から突出する第三調整ボルトとを有し、前記脱輪防止部本体は、断面楕円形状に形成され、ハンガーレールのレール本体と、吊り金具本体の底板部との間に配設されてなる
ことを特徴とする吊り金具装置。
【請求項２】
請求項１に記載の吊り金具装置において、
前記第三調整ボルトは、背板部の一対の前記第三調整穴に挿通されるような長さ及び太さに形成され、該第三調整穴は、前記背板部の下端近傍位置に配置形成され、該第三調整穴は、上下方向に沿って長く貫通形成され、長円形状に形成される
ことを特徴とする吊り金具装置。
【発明の詳細な説明】
【技術分野】
【０００１】
本発明は、吊り金具装置に関し、詳しくは自動ドアを吊り下げた状態でスライド移動させることが可能な吊り金具装置に関する。
【背景技術】
【０００２】
図１０において、引用符号１は自動ドア２の上部に固定される吊り金具装置を示す。この吊り金具装置１は、自動ドア組付枠（上枠３）のハンガーレール４に組み付けられる装置であって、自動ドア２を吊り下げることができるように、また、図１０の紙面垂直方向に移動させることができるように構成される。以下、特許文献１に開示された吊り金具装置１の構成について、図１０を参照しながら簡単に説明をする。
【０００３】
吊り金具装置１は、底板部５及び背板部６を有する吊り金具本体７と、底板部５を自動ドア２の上部に固定するための金具固定ボルト８と、ハンガーレール４に組み付けられるローラー部９と、このローラー部９を背板部６に組み付けるための中間板１０とを備えて構成される。ローラー部９は、ハンガーレール４に対し転動自在になる一対のハンガーローラー１１と、この一対のハンガーローラー１１を所定の間隔で中間板１０に組み付けるための帯板部１２とを有する。
【０００４】
尚、引用符号１３及び１４で示す舌片部と、引用符号１５で示すボルトは、ローラー部９をハンガーレール４に組み付けた状態で吊り金具本体７を上下方向の所定位置に仮配置するための建付調整手段１６として用いられる。また、引用符号１７で示すブロック状の部分と、引用符号１８で示すボルト・ナットは、一対のハンガーローラー１１の脱輪を防止するための手段１９として用いられる。
【先行技術文献】
【特許文献】
【０００５】
【特許文献１】特開２０１１−１６９０３５号公報
【発明の概要】
【発明が解決しようとする課題】
【０００６】
上記従来技術にあっては、ローラー部９を背板部６に組み付けるために中間板１０を用いることから、一対のハンガーローラー１１の中心から背板部６までのピッチＰ１が大きくなってしまうという問題点を有する。そのため、脱輪を防止する手段のうちの、ブロック状の部分が長くなってしまい、結果、重量面やコスト面に影響を来しているという問題点を有する。
【０００７】
本発明は、上記した事情に鑑みてなされたもので、ハンガーローラーの中心から背板部までのピッチを小さくして小型化を図ることが可能な吊り金具装置を提供することを課題とする。
【課題を解決するための手段】
【０００８】
上記課題を解決するためになされた請求項１に記載の本発明の吊り金具装置は、自動ドアの上部に固定される吊り金具本体と、
自動ドア組付枠のハンガーレールに組み付けられるローラー部と、
前記ローラー部を前記ハンガーレールのレール本体に載せた状態で前記吊り金具本体を上下方向の所定位置に仮配置するための建付調整手段と、
前記ローラー部の脱輪を防止するための脱輪防止手段とを含んで構成され、
前記吊り金具本体は、
前記上部に対する固定部分としての底板部と、該底板部から上方に立ち上がる背板部とを有すると共に、前記帯板部を跨ぐ断面コ字状に形成され且つ前記一対のハンガーローラーの間に位置するブリッジ部を有し、
前記ローラー部は、
前記レール本体に対し転動自在になる一対のハンガーローラーと、
該一対のハンガーローラーを前記レール本体の延在方向に沿って所定の間隔で組み付けるための帯板部とを有し、
前記建付調整手段は、
前記背板部の所定位置を前記上下方向に沿って長く貫通形成される第一調整穴及び第二調整穴と、
前記背板部の一方の面側に形成される背板側建付舌片部と、
該背板側建付舌片部のネジ穴に対し前記上下方向に沿って組み付けられる建付ボルトと、
前記一対のハンガーローラーの各回転軸中間位置で前記帯板部を円形に貫通して形成されるボルト貫通穴と、
前記帯板部の一方の面を前記背板部の他方の面に対向させた状態で前記一対のハンガーローラーが存在する側である前記帯板部の他方の面側から該帯板部を跨ぐ状態で前記背板部の他方の面に対し組み付けられる調整金具本体と、
前記第一調整穴を貫通するように前記調整金具本体の一方の面から突出する第一調整ボルトと、
前記背板部の一方の面から突出した後の前記第一調整ボルトに対し組み付けられる第一調整ナットと、
前記ボルト貫通穴及び前記第二調整穴を貫通するように前記調整金具本体の一方の面から突出する第二調整ボルトと、
前記背板部の一方の面から突出した後の前記第二調整ボルトに対し組み付けられる第二調整ナットと、
前記調整金具本体の一方の面側に形成されて前記背板側建付舌片部に対向し且つ前記建付ボルトのボルト頭部が係合する調整金具側建付舌片部とを有し、
前記調整金具本体は、
前記帯板部を跨ぐ断面コ字状に形成され且つ前記一対のハンガーローラーの間に位置するブリッジ部を有し、該ブリッジ部の凹面から突出するように前記第二調整ボルトを配設するとともに、前記ブリッジ部の上端に前記調整金具側建付舌片部を連成し、さらに、前記背板部の他方の面に対向する固定板部を前記ブリッジ部の下端に連成するとともに、前記固定板部の一方の面から突出するように前記第一調整ボルトを配設し、
前記脱輪防止手段は、
脱輪防止部と、第三調整ナットとを備えてなり、前記脱輪防止部は、ブロック状の部分である脱輪防止部本体と、該脱輪防止部本体から突出する第三調整ボルトとを有し、前記脱輪防止部本体は、断面楕円形状に形成され、ハンガーレールのレール本体と、吊り金具本体の底板部との間に配設されてなる
ことを特徴とする。
【０００９】
請求項２に記載の本発明は、請求項２に記載の吊り金具装置において、前記第三調整ボルトは、背板部の一対の前記第三調整穴に挿通されるような長さ及び太さに形成され、該第三調整穴は、前記背板部の下端近傍位置に配置形成され、該第三調整穴は、上下方向に沿って長く貫通形成され、長円形状に形成されることを特徴とする。
【発明の効果】
【００１０】
請求項１に記載された本発明によれば、特に建付調整手段の構成及び構造に配慮し帯板部を直接、背板部に対向させることから、従来用いていた中間板を廃止するができるという効果を奏する。これにより一対のハンガーローラーの中心から背板部までのピッチを小さくすることができ、これに伴って脱輪を防止する手段も小型化することができ、重量低減やコスト低減を図ることができるという効果も奏する。
【００１１】
請求項２に記載された本発明によれば、請求項１と同様な効果を更に奏することができる。
【図面の簡単な説明】
【００１２】
【図１】本発明の吊り金具装置を含む自動ドア装置の構成図である。
【図２】吊り金具装置の側面図である。
【図３】吊り金具装置の分解斜視図である。
【図４】吊り金具装置の正面図である。
【図５】吊り金具装置の背面図である。
【図６】吊り金具本体の図であり、（ａ）は平面図、（ｂ）は側面図、（ｃ）は正面図である。
【図７】調整金具本体、第一調整ボルト、及び第二調整ボルトの図であり、（ａ）は平面図、（ｂ）は左側面図、（ｃ）は正面図、（ｄ）は右側面図である。
【図８】比較例としての吊り金具装置の斜視図である。
【図９】図８の吊り金具装置の平面図である。
【図１０】従来例の吊り金具装置を含む自動ドア装置の構成図である。
【発明を実施するための形態】
【００１３】
吊り金具装置は、自動ドアの上部に固定される吊り金具本体と、ハンガーレールに組み付けられるローラー部と、このローラー部をハンガーレールに載せた状態で吊り金具本体を仮配置するための建付調整手段と、ローラー部の脱輪を防止するための脱輪防止手段とを含んで構成される。吊り金具本体は、底板部と背板部とを有する。ローラー部は、一対のハンガーローラーと帯板部とを備える。建付調整手段は、第一調整穴及び第二調整穴と、背板側建付舌片部と、建付ボルトと、ボルト貫通穴と、調整金具本体と、第一調整ボルト及び第一調整ナットと、第二調整ボルト及び第二調整ナットと、調整金具側建付舌片部とを備える。調整金具本体は、帯板部を跨ぐ状態で背板部に組み付け可能な形状に形成され、脱輪防止手段は、脱輪防止部と、第三調整ナットとを備えてなる。
【実施例】
【００１４】
以下、図面を参照しながら実施例１を説明する。図１は本発明の吊り金具装置を含む自動ドア装置の構成図である。また、図２は吊り金具装置の側面図、図３は吊り金具装置の分解斜視図、図４は吊り金具装置の正面図、図５は吊り金具装置の背面図、図６は吊り金具本体の図、図７は調整金具本体、第一調整ボルト、及び第二調整ボルトの図である。
【００１５】
＜自動ドア装置２１について＞
図１において、自動ドア装置２１は、図示しない駆動機構によりスライド開閉する自動ドア２２と、この自動ドア２２の組付枠としての上枠２３（自動ドア組付枠）と、この上枠２３内に設けられるハンガーレール２４と、同じく上枠２３内に設けられる本発明の吊り金具装置２５とを備えて構成される。
【００１６】
＜ハンガーレール２４について＞
図１及び図２において、ハンガーレール２４は、上枠２３内に固着されるベース部２６と、このベース部２６に一体化する補強部２７及びレール部２８とを有する。レール部２８には、断面蒲鉾形状のレール本体２９が形成される。尚、レール本体２９の下面３０は平坦な面に形成される。レール部２８は、図１及び図２の紙面垂直方向に沿って真っ直ぐに形成される。
【００１７】
＜本発明の吊り金具装置２５について＞
図１ないし図３において、吊り金具装置２５は、自動ドア２２を吊り下げた状態でスライド移動させることができるように、また、建付調整ができるように、さらには、脱輪を防止することができるように構成される。このような構成についてもう少し詳しく説明をすると、吊り金具装置２５は、自動ドア２２の上部に固定される吊り金具本体３１と、ハンガーレール２４に組み付けられるローラー部３２と、このローラー部３２をハンガーレール２４のレール本体２９に載せた状態で吊り金具本体３１を上下方向の所定位置に仮配置するための建付調整手段３３と、ローラー部３２の脱輪を防止するための脱輪防止手段３４とを備えて構成される。
【００１８】
＜吊り金具本体３１について＞
図２ないし図６において、吊り金具本体３１は、肉厚の金属板をプレス加工することにより図示形状に形成される。吊り金具本体３１は、一対の金具固定ボルト３５にて自動ドア２２の上部に固定される底板部３６と、この底板部３６の長手方向の一側部から上方に立ち上がる背板部３７とを有する。
【００１９】
底板部３６には、短手方向に長い長円形状の一対の位置調整固定穴３８が形成される。この一対の位置調整穴３８には、一対の金具固定ボルト３５が挿通される。そして、締め付けにより吊り金具本体３１は自動ドア２２の上部に固定される。背板部３７には、建付調整手段３３及び脱輪防止手段３４に係る後述の各部分が形成される。また、背板部３７には、一対の部品固定部３９が形成される。
【００２０】
一対の部品固定部３９は、レール本体２９の延在方向に沿って突出するように、また、少なくともタイミングベルト（図示省略）の連結金具（図示省略）を組み付けることができるように形成される。一対の部品固定部３９を有する背板部３７は、正面視Ｔ字状に形成される。本実施例においては、一対の部品固定部３９の各自由端部にストッパ部４０が折り曲げ形成される。一対のストッパ部４０は、自動ドア２２を開いた状態で上枠２３内の所定部分（図示省略）に当接する部分として形成される。尚、ストッパ部４０の形成は任意であるものとする。
【００２１】
背板部３７の一方の面は、建付調整手段３３及び脱輪防止手段３４に係る後述の第一調整ナット５０、第二調整ナット５２、第三調整ナット６２の締め付け面として、また、他方の面はローラー部３２の組み付け面として形成される（後述する帯板部４２が対向する面として形成される）。
【００２２】
＜ローラー部３２について＞
図２及び図３において、ローラー部３２は、レール本体２９に対し転動自在になる一対のハンガーローラー４１と、この一対のハンガーローラー４１をレール本体２９の延在方向に沿って所定の間隔で組み付けるための帯板部４２とを備えて構成される。尚、一対のハンガーローラー４１及びこの回転軸の機構は公知であり、ここでの説明は省略するものとする。帯板部４２は、吊り金具本体３１の板厚よりも若干薄い金属板を帯状に加工することにより形成される。このような帯板部４２の中央位置には（一対のハンガーローラー４１の各回転軸中間位置には）、建付調整手段３３に係る後述の部分（円形のボルト貫通穴４７）が形成される。帯板部４２の一方の面は、背板部３７に対向する面として、また、他方の面は一対のハンガーローラー４１が回転自在になる面として形成される。
【００２３】
＜建付調整手段３３について＞
図２ないし図５において、建付調整手段３３は、上述の如く、ローラー部３２をレール本体２９に載せた状態で吊り金具本体３１を上下方向の所定位置に仮配置するための手段であって、図３に示すような、一対の第一調整穴４３と、第二調整穴４４と、背板側建付舌片部４５と、建付ボルト４６と、ボルト貫通穴４７と、調整金具本体４８と、一対の第一調整ボルト４９と、一対の第一調整ナット５０と、第二調整ボルト５１と、第二調整ナット５２と、調整金具側建付舌片部５３とを備えて構成される。
【００２４】
＜一対の第一調整穴４３について＞
図３及び図６において、一対の第一調整穴４３は、背板部３７の下部所定位置に配置形成される。一対の第一調整穴４３は、上下方向に沿って長く貫通形成される。また、一対の第一調整穴４３は、長円形状に形成される。一対の第一調整穴４３は、ボルト軸部の挿通部分として形成される。また、一対の第一調整穴４３は、ボルト軸部を上下方向に案内する部分として形成される。
【００２５】
＜第二調整穴４４について＞
図３及び図６において、第二調整穴４４は、背板部３７の上部中央位置に配置形成される。第二調整穴４４は、上下方向に沿って長く貫通形成される。また、第二調整穴４４は、一対の第一調整穴４３と同じサイズの長円形状に形成される。第二調整穴４４は、ボルト軸部の挿通部分として形成される。また、第二調整穴４４は、ボルト軸部を上下方向に案内する部分として形成される。
【００２６】
＜背板側建付舌片部４５について＞
図２、図３、図４、及び図６において、背板側建付舌片部４５は、背板部３７の上端、且つ、中央位置よりも片側にずれた位置に配置形成される。背板側建付舌片部４５は、舌片状の部分を背板部３７の一方の面側に９０度折り曲げて形成される。このような背板側建付舌片部４５には、ネジ穴５４が形成される。
【００２７】
＜建付ボルト４６について＞
図２ないし図４において、建付ボルト４６は、背板側建付舌片部３７のネジ穴５４に対しこの上方から下方に向けて組み付けられるボルトであって、ネジ穴５４にねじ込まれるボルト軸部と、薄いボルト頭部とを有する。この薄いボルト頭部は、レンチ（スパナ）が係合する部分の他に、後述する調整金具側建付舌片部５３が係合する部分としても用いられる。
【００２８】
＜ボルト貫通穴４７について＞
図３において、ボルト貫通穴４７は、帯板部４２の中央位置に配置形成される。ボルト貫通穴４７は、円形に貫通するように形成される。また、ボルト貫通穴４７は、後述する第二調整ボルト５１の径よりも大きく開口するように形成される。また、後述するすべり軸受け５８の径に合わせて形成される。ボルト貫通穴４７は、この部分を中心にしてローラー部３２が図５の矢印のような揺動をするように形成される。
【００２９】
＜調整金具本体４８について＞
図３、図５、及び図７において、調整金具本体４８は、吊り金具本体３１と同じ肉厚の金属板をプレス加工することにより形成される。調整金具本体４８は、帯板部４２を跨ぐ状態で背板部３７の他方の面に組み付けることができるように形成される。もう少し詳しく説明すると、帯板部４２の一方の面を背板部３７の他方の面に対向させた状態で一対のハンガーローラー４１が存在する側である帯板部４２の他方の面側から、この帯板部４２を跨ぐ状態で背板部３７の他方の面に対し組み付けることができるように形成される。
【００３０】
調整金具本体４８は、帯板部４２を跨ぐ断面コ字状に形成され、且つ、一対のハンガーローラー４１の間に位置するブリッジ部５５と、このブリッジ部５５の上端に連成される調整金具側建付舌片部５３と、ブリッジ部５５の下端に連成される固定板部５６とを有して図示形状に形成される。
【００３１】
＜一対の第一調整ボルト４９について＞
図３及び図７において、一対の第一調整ボルト４９は、調整金具本体４８の固定板部５６の一方の面からボルト軸部が突出するように配設される。一対の第一調整ボルト４９は、このボルト頭部が固定板部５６に埋設され、且つ、溶接にて完全に動かないように固定される。一対の第一調整ボルト４９は、背板部３７の一対の第一調整穴４３に挿通されるような長さ及び太さに形成される。
【００３２】
＜一対の第一調整ナット５０について＞
図３及び図４において、一対の第一調整ナット５０は、背板部３７の一方の面から突出した後の一対の第一調整ボルト４９に対し組み付けられるものであって、例えば図示のような形状のナットが採用される。
【００３３】
＜第二調整ボルト５１について＞
図３及び図７において、第二調整ボルト５１は、調整金具本体４８の一方の面から（ブリッジ部５５の凹面から）ボルト軸部が突出するように配設される。第二調整ボルト５１は、このボルト頭部がブリッジ部５５に埋設され、且つ、溶接にて完全に動かないように固定される。第二調整ボルト５１は、帯板部４２のボルト貫通穴４７に挿通されるとともに背板部３７の第二調整穴４４に挿通されるような長さ及び太さに形成される。
【００３４】
第二調整ボルト５１には、図３に示すようなワッシャ５７と、すべり軸受け５８とが挿通される。すべり軸受け５８は、帯板部４２のボルト貫通穴４７に挿通される筒状に形成される。すべり軸受け５８は、ローラー部３２のスムーズな揺動を生じさせるために設けられる。
【００３５】
＜第二調整ナット５２について＞
図３及び図４において、第二調整ナット５２は、背板部３７の一方の面から突出した後の第二調整ボルト５１に対し組み付けられるものであって、例えば図示のような形状のナットが採用される（本実施例では第一調整ナット５０と同じものが採用される）。
【００３６】
＜調整金具側建付舌片部５３について＞
図２、図３、図４、図５、及び図７において、調整金具側建付舌片部５３は、上述の如く、調整金具本体４８の一部であって、調整金具本体４８の一方の面側に９０度折り曲げて形成される。調整金具側建付舌片部５３は、背板側建付舌片部４５に対向し、且つ、建付ボルト４６の薄いボルト頭部が係合するような形状（例えばＵ字状の切り欠き部５９と、この縁部に係合する）に形成される。
【００３７】
調整金具側建付舌片部５３には、シーソー状に揺動する帯板部４２を当接させるための帯板当接部６０が形成される。帯板当接部６０は、上記揺動を適切な範囲で行えるように規制するための部分として形成される。
【００３８】
＜脱輪防止手段３４について＞
図２ないし図５において、脱輪防止手段３４は、上述の如くローラー部３２の脱輪を防止するための手段であって、脱輪防止部６１と、第三調整ナット６２とを備えて構成される。脱輪防止部６１は、ブロック状の部分である脱輪防止部本体６３と、この脱輪防止部本体６３から突出する第三調整ボルト６４とを有する。
【００３９】
脱輪防止部本体６３は、断面楕円形状に形成される（円形状やその他形状であってもよいものとする）。このような形状の脱輪防止部本体６３は、ハンガーレール２４のレール本体２９と、吊り金具本体３１の底板部３６との間に配設される。
【００４０】
第三調整ボルト６４は、背板部３７の一対の第三調整穴６５に挿通されるような長さ及び太さに形成される。尚、第三調整穴６５は、背板部３７の下端近傍位置に配置形成される。第三調整穴６５は、上下方向に沿って長く貫通形成される。また、第三調整穴６５は、長円形状に形成される。第三調整穴６５は、第三調整ボルト６４を上下方向に案内する部分として形成される。
【００４１】
第三調整ボルト６４の端部には、例えばマイナスドライバーを差し込んで脱輪防止部本体６３の向きを変える溝部６６が形成される。このような第三調整ボルト６４には、背板部３７の一方の面から突出した後に、第三調整ナット６２が組み付けられる。
【００４２】
＜吊り金具装置２５の組み付け作業、及び自動ドア２２の建付調整作業について＞
上記構成及び構造において、図１ないし図５を参照しながら吊り金具装置２５の組み付け作業、及び建付調整作業について説明をする。
【００４３】
先ず、吊り金具本体３１に対しローラー部３２、建付調整手段３３、及び脱輪防止手段３４を仮止め状態で組み付ける（吊り金具装置２５を仮止め状態で組み付ける）。
【００４４】
具体的には、（１）第二調整ボルト５１にワッシャ５７及びすべり軸受け５８を挿通する。（２）ローラー部３２における帯板部４２のボルト貫通穴４７に第二調整ボルト５１を挿通し、そして、ボルト貫通穴４７とすべり軸受け５８とを係合させる。この時、調整金具本体４８のブリッジ部５５が帯板部４２を跨いだような状態になる。（３）調整金具本体４８を持ちながら、この調整金具本体４８の一方の面を背板部３７の他方の面に対向させる。そして、一対の第一調整ボルト４９を背板部３７の一対の第一調整穴４３に挿通するとともに、第二調整ボルト５１を背板部３７の第二調整穴４４に挿通する。（４）背板部３７の一方の面から突出した後の一対の第一調整ボルト４９に対し、一対の第一調整ナット５０を仮止め状態で組み付けるとともに、同じく背板部３７の一方の面から突出した後の第二調整ボルト５１に対しても第二調整ナット５２を仮止め状態で組み付ける。尚、ここでの仮止め状態とは、建付調整が可能な程度の緩いナット締め付けのことを言うものとする。
【００４５】
（５）上下に対向した状態の調整金具側建付舌片部５３及び背板側建付舌片部４５に対し建付ボルト４６を適当な位置に組み付ける。この時、調整金具側建付舌片部５３と背板側建付舌片部４５は、適当な間隔をあけて対向した状態になる（図示省略）。（６）脱輪防止部６１の第三調整ボルト６４を背板部３７の一対の第三調整穴６５に挿通するとともに、背板部３７の一方の面から突出した後の第三調整ボルト６４に第三調整ナット６２を仮止め状態で組み付ける。
【００４６】
次に、吊り金具本体３１を自動ドア２２の上部に仮止め状態で固定する（吊り金具装置２５を仮止め状態で自動ドア２２の上部に固定する）。
【００４７】
具体的には、（７）一対の金具固定ボルト３５を底板部３６の一対の位置調整穴３８に挿通するとともに、一対の金具固定ボルト３５を自動ドア２２の上部にねじ込んで吊り金具本体３１が底板部３６の短手方向に移動可能になるように仮止め状態で固定する。
【００４８】
次に、自動ドア２２を吊り下げた状態にする。具体的には、（８）ローラー部３２の一対のハンガーローラー４１をハンガーレール２４のレール本体２９に載せて自動ドア２２を吊り金具装置２５にて吊り下げた状態にする。
【００４９】
次に、自動ドア２２の建付調整を行う。具体的には、（９）建付ボルト４６を上下動させて調整金具側建付舌片部５３と背板側建付舌片部４５との間隔を調整し、これにより自動ドア２２の上下方向の位置を調整するとともに、一対の位置調整穴３８に対し一対の金具固定ボルト３５をスライドさせるようにして自動ドア２２の上記短手方向の位置を調整する。（１０）自動ドア２２の位置を決めた状態で、一対の第一調整ナット５０、第二調整ナット５２、及び一対の金具固定ボルト３５を完全に締め付けた状態にする。以上により各部が固定される。
【００５０】
最後に、脱輪防止手段３４の調整を行う。具体的には、（１１）マイナスドライバーにて脱輪防止部本体６３の向きを変えてハンガーレール２４のレール本体２９とのクリアランスを調整しつつ第三調整ナット６２完全に締め付けた状態にする。以上により脱輪が防止される。
【００５１】
＜本発明の吊り金具装置２５の効果について＞
以上、図１ないし図７を参照しながら説明してきたように、本発明の吊り金具装置２５によれば、特に建付調整手段３３の構成及び構造に配慮し、帯板部４２を直接、背板部３７に対向させることから、従来用いていた中間板（図８及び図９に示す比較例の中間板１０と同じ）を廃止するができるという効果を奏する。これにより、一対のハンガーローラー４１の中心から背板部３７の一方の面までのピッチＰ２を、図８及び図９に示す比較例のピッチＰ１よりも小さく（Ｐ２＜Ｐ１）することができ、結果、小型化を図ることができるという効果を奏する。また、本発明の吊り金具装置２５によれば、小型化により例えばメンテナンスの際の作業性を向上させることができるという効果も奏する。
【００５２】
＜比較例について＞
図８は比較例としての吊り金具装置の斜視図である。また、図９は図８の吊り金具装置の平面図である。尚、比較例は、背景技術の欄で挙げた特許文献１（特開２０１１−１６９０３５号公報）に開示されたものと基本的に同じものである。すなわち、図１０と基本的に同じ構成及び構造のものである。
【００５３】
図８及び図９において、吊り金具装置１は、底板部５及び背板部６を有する吊り金具本体７と、一対のハンガーローラー１１を有するローラー部９と、このローラー部９を背板部６に組み付けるための中間板１０と、建付調整手段１６とを備えて構成される。
【００５４】
図９において、一対のハンガーローラー１１の中心から背板部６の一方の面までのピッチは、ピッチＰ１で示される。ピッチＰ１は、中間板１０の厚み分だけ上述のピッチＰ２（図２参照）よりも大きくなってしまう。
【００５５】
従って、比較例と比べて本発明の吊り金具装置２５が有用であるのは勿論である。
【００５６】
＜特許請求の範囲に記載以外の特徴について＞
尚、特許請求の範囲に記載された本発明は、吊り金具装置２５として特徴づけられているが、これを自動ドア装置２１の発明に書き換えれば次のような内容を特徴とする。
【００５７】
すなわち、自動ドア装置２１は、
「駆動機構によりスライド開閉する自動ドア２２と、該自動ドア２２の組付枠としての上枠２３と、該上枠２３内に設けられるハンガーレール２４と、前記上枠２３内に設けられる吊り金具装置２５とを備える自動ドア装置２１において、
前記吊り金具装置２５は、
前記自動ドア２２の上部に固定される吊り金具本体３１と、
前記ハンガーレール２４に組み付けられるローラー部３２と、
該ローラー部３２を前記ハンガーレール２４のレール本体２９に載せた状態で前記吊り金具本体３１を上下方向の所定位置に仮配置するための建付調整手段３３とを含んで構成され、
前記吊り金具本体３１は、
前記自動ドア２２に対する固定部分としての底板部３６と、
該底板部３６から上方に立ち上がる背板部３７とを有し、
前記ローラー部３２は、
前記レール本体２９に対し転動自在になる一対のハンガーローラー４１と、
該一対のハンガーローラー４１を前記レール本体２９の延在方向に沿って所定の間隔で組み付けるための帯板部４２とを有し、
前記建付調整手段３３は、
前記背板部３７の所定位置を前記上下方向に沿って長く貫通形成される第一調整穴４３及び第二調整穴４４と、
前記背板部３７の一方の面側に形成される背板側建付舌片部４５と、
該背板側建付舌片部４５のネジ穴５４に対し前記上下方向に沿って組み付けられる建付ボルト４６と、
前記一対のハンガーローラー４１の各回転軸中間位置で前記帯板部４２を円形に貫通して形成されるボルト貫通穴４７と、
前記帯板部４２の一方の面を前記背板部３７の他方の面に対向させた状態で前記一対のハンガーローラー４１が存在する側である前記帯板部４２の他方の面側から該帯板部４２を跨ぐ状態で前記背板部３７の他方の面に対し組み付けられる調整金具本体４８と、
前記第一調整穴４３を貫通するように前記調整金具本体４８の一方の面から突出する第一調整ボルト４９と、
前記背板部３７の一方の面から突出した後の前記第一調整ボルト４９に対し組み付けられる第一調整ナット５０と、
前記ボルト貫通穴４７及び前記第二調整穴４４を貫通するように前記調整金具本体４８の一方の面から突出する第二調整ボルト５１と、
前記背板部３７の一方の面から突出した後の前記第二調整ボルト５１に対し組み付けられる第二調整ナット５２と、
前記調整金具本体４８の一方の面側に形成されて前記背板側建付舌片部４５に対向し且つ前記建付ボルト４６のボルト頭部が係合する調整金具側建付舌片部５３とを有する」ことを特徴とする。
【００５８】
効果としては、吊り金具装置２５の小型化を図ることができる、ということが挙げられる。
【００５９】
本発明は本発明の主旨を変えない範囲で種々変更実施可能なことは勿論である。
【符号の説明】
【００６０】
２１…自動ドア装置、  ２２…自動ドア、  ２３…上枠（自動ドア組付枠）、  ２４…ハンガーレール、  ２５…吊り金具装置、  ２６…ベース部、  ２７…補強部、  ２８…レール部、  ２９…レール本体、  ３０…下面、  ３１…吊り金具本体、  ３２…ローラー部、  ３３…建付調整手段、  ３４…脱輪防止手段、  ３５…金具固定ボルト、  ３６…底板部、  ３７…背板部、  ３８…位置調整穴、  ３９…部品固定部、  ４０…ストッパ部、  ４１…ハンガーローラー、  ４２…帯板部、  ４３…第一調整穴、  ４４…第二調整穴、  ４５…背板側建付舌片部、  ４６…建付ボルト、  ４７…ボルト貫通穴、  ４８…調整金具本体、  ４９…第一調整ボルト、  ５０…第一調整ナット、  ５１…第二調整ボルト、  ５２…第二調整ナット、  ５３…調整金具側建付舌片部、  ５４…ネジ穴、  ５５…ブリッジ部、  ５６…固定板部、  ５７…ワッシャ、  ５８…すべり軸受け、  ５９…切り欠き部、  ６０…帯板当接部、  ６１…脱輪防止部、  ６２…第三調整ナット、  ６３…脱輪防止部本体、  ６４…第三調整ボルト、  ６５…第三調整穴、  ６６…溝部
【図１】
2018096203.tif 000003
【図２】
2018096203.tif 000004
【図３】
2018096203.tif 000005
【図４】
2018096203.tif 000006
【図５】
2018096203.tif 000007
【図６】
2018096203.tif 000008
【図７】
2018096203.tif 000009
【図８】
2018096203.tif 000010
【図９】
2018096203.tif 000011
【図１０】
2018096203.tif 000012